(57)【要約】【課題】本発明はケーブル付でも耐振動性と接続安定性に優れたコネクタ１０を提供。【解決手段】本目的は回動及びスライド可能に回動部材１６を装着し、ハウジング１２にはコンタクト１４が配列された幅方向の一方側に断面略Ｌ字形状の第１係合部２２と第１係合部２２の他方側に逃げ溝３０を設け、回動部材１６には幅方向両側に略Ｕ字形状の第１及び第２係止部４８、４９を設け、第１及び第２係止部４８、４９には係止孔５０を設け、幅方向両側にはガイド部２４を設け、接続対象物が装着部１８に装着された後に、回動部材１６は第１係合部２２の軸部を支点に移動及び回動し、回動が完了した際には第２係止部４９が逃げ溝３０に入り、回動後に回動部材１６をスライドさせて接続対象物に押圧させることにより接続対象物とコンタクト１４とを接続させることを特徴とするコネクタ１０により達成。【選択図】  図２
2010251224.tif 000002
【特許請求の範囲】
【請求項１】
少なくとも、接続対象物との接触部と基板との接続部を有する複数のコンタクトと、該コンタクトが保持・配列されるとともに前記接続対象物が入る装着部を有するハウジングとを備えるコネクタにおいて、
回動並びにスライド可能に回動部材を装着し、
前記ハウジングには前記コンタクトが配列された幅方向のどちらか一方側に断面略Ｌ字形状の第１係合部と該第１係合部の反対側（他方側）に逃げ溝を設け、
前記回動部材には幅方向両側に略Ｕ字形状の第１及び第２係止部を設けるとともに該第１及び第２係止部には係止孔若しくは係止凸部を設け、さらに、幅方向両側にはガイド部を設け、
前記接続対象物が装着部に装着された後に、前記回動部材は前記第１係合部の軸部を支点に移動及び回動し、回動が完了した際には前記第２係止部が前記逃げ溝に入り、
回動後に前記回動部材をスライドさせて前記接続対象物に押圧させることにより前記接続対象物と前記コンタクトとを接続させることを特徴とするコネクタ。
【請求項２】
前記ハウジングの装着部方向の幅方向両側に固定具を装着し、前記ハウジングのガイド部若しくは前記固定具に前記係止孔若しくは係止凸部と係合する係合凸部若しくは係合凹部を設け、スライドが完了した際に前記係止孔若しくは係止凸部と前記係合凸部若しくは係合凹部が係合することを特徴とする請求項１記載のコネクタ。
【請求項３】
前記回動部材に係止片を設け、前記接続対象物を取り出す際に、前記係止片は前記回動部材の回動する位置で止まり、かつ、前記回動部材が外れないように前記ハウジングの内側壁と係合することを特徴とする請求項１または２記載のコネクタ。
【請求項４】
前記接続対象物にケーブルが接続されている場合、前記ハウジングには前記コンタクトの接続部突出方向との逆側に逃げ凹部又は／及び逃げ孔を設けることを特徴とする請求項１または２、３記載のコネクタ。
【請求項５】
前記ハウジングには、前記回動部材の回動軸側に前記第１係止部先端を逃げるための孔を設けるとともに基板接続側でほぼ中央付近にフラックス防止孔を設けることを特徴とする請求項１、２または３、４記載のコネクタ。
【請求項６】
前記回動部材を回動する際に、前記回動部材が前記第１係合部に係合する際にクリック感を持たせることを特徴とする請求項１、２または３、４、５記載のコネクタ。
【請求項７】
前記回動部材の回動当初は、前記係止部が前記第１係合部を包むように回動することを特徴とする請求項１〜６項のうちいずれか１項記載のコネクタ。
【請求項８】
第１に、前記回動部材が９０度に開いた状態では、前記回動部材の第１係止部の第２面が前記ハウジングの第１係合部の第４面と接し、
第２に、前記回動部材を回動し始めると、前記回動部材は装着部方向に移動し、前記回動部材の第２面の裏側面が前記ハウジングの第３面と接し、
第３に、前記回動部材を回動させると、前記回動部材の第１頂部が前記ハウジングの第３面に接し、かつ、前記回動部材の第１面が前記ハウジングの第１角と接し、及び前記回動部材の第２頂部が基板に接するか、若しくは、前記回動部材の第２面が前記ハウジングの第２角と接し、及び前記回動部材の第２頂部が基板に接し、
第４に、前記回動部材を９０度回動させると、前記回動部材の第２係止部が前記ハウジングの逃げ溝に入り、
最後に、前記回動部材の第１及び第２係止部を前記ハウジングの幅方向両側のガイド部に沿ってスライドさせると、前記回動部材が前記ハウジングに完全に装着し、前記回動部材で前記接続対象物を前記コンタクト方向へ押圧することを特徴とする請求項１〜７項のうちいずれか１項記載のコネクタ。
【発明の詳細な説明】
【技術分野】
【０００１】
本発明は、携帯電話や携帯音楽プレーヤーや携帯テレビ等の電気機器や電子機器に使用されるコネクタに関するもので、特に、ケーブルが接続された電子部品が装着されても小型化が可能な構造に関するものである。
【背景技術】
【０００２】
コネクタは、少なくとも複数のコンタクトと該コンタクトが保持・配列されるハウジングを有している。前記コネクタには、一般的に接続対象物（ケーブルが付いた相手コネクタやフレキシブルプリント基板（以下では「ＦＰＣ」という）やカードや光モジュール等）が入る装着部が設けられている。前記接続対象物を、前記コネクタの装着部に保持する方法には多々考えられる。例えば、ただ単に前記接続対象物を置いた場合（特許文献２や特許文献３のように）や前記接続対象物を置いたホルダーをスライドさせるもの（特許文献４のように）や前記接続対象物をホルダーに装着した後にホルダーを回動させるもの（特許文献１のように）等がある。
特許文献として、接続対象物を装着した後に回動させる特許文献１（特開平１１−２２４７２４号）と本出願人が既に提案した、前記接続対象物を装着部に置いた特許文献２（特開２００１−３５７９３２）や特許文献３（特開２００２−９３４９３）や前記接続対象物を置いた後にスライドさせる特許文献４（特開２００８−４５２３）を示す。
【先行技術文献】
【特許文献】
【０００３】
【特許文献１】特許文献１の特開平１１−２２４７２４号の要約によると、本発明は従来例におけるスナップ係合方式を排し、単にカバーを閉合方向へプッシュ操作するのみでワンタッチでベースに対するカバーのロック状態が形成でき、更にカバ−の上面を再プッシュするのみでワンタッチでベースに対するカバーのロック解除状態を形成できるようにしたカードコネクタを提供することを目的とし、コネクタハウジングを構成するベース１には同ハウジングに収容されたＩＣカード４の外部接点８と接触するコンタクト５を備える。更にベース１に対するカバー２の閉合を保持するロック機構として、例えば上記ベース１側に設けたカム要素１３と、カバー２に設けた上記カム要素１３によりロック位置とロック解除位置に案内される係止片１４とから成り、上記カバー２のプッシュ操作により上記係止片１４のカム要素１３に対するロック位置への案内がなされ、且つこのロック状態における再プッシュ操作により上記係止片１４のカム要素１３に対するロック解除位置への案内がなされるカードコネクタが開示されている。
【特許文献２】特許文献２の特開２００１−３５７９３２の要約によると、簡単にＩＣカードをコネクタに装着でき、カバー等を用いた構造でもカバーが破損することなく、確実にロックできる構造のＩＣカード用コネクタを提供することを目的とし、ハウジング１２の一内側面に弾性部材１６を配置すると共に４角部に係合部１８を設け、弾性部材１６でＩＣカード２６を一方側に押し付けてＩＣカード２６を係合部１８に係合させ、また、カバーを用いるＩＣカード用コネクタでは、ハウジングの長手方向の一方端側に軸を支点に回動するカバーを装着し、他方端側に係合部を設け、該カバーのＩＣカード挿入方向と反対側に弾性部材を配置すると共に弾性部材でＩＣカードを一方側に押し付けてＩＣカードを係合部に係合させるＩＣカード用コネクタが開示されている。
【特許文献３】特許文献３の特開２００２−９３４９３の要約によると、本発明は、簡単にＩＣカードをコネクタに装着でき、カバー等を用いた構造でもカバーが破損することなく、確実にロックできる構造のＩＣカード用コネクタを提供することを目的とし、上記目的は、ＩＣカード２６と接続する接触端子１４と、この接触端子１４が保持・固定されるハウジング１２とからなるＩＣカード用コネクタ１０において、前記ハウジング１２の対向する内側面に係合部１８を設けると共に一方の係合部１８に段部１６を設けることにより達成でき、また、前記段部１６によりＩＣカード２６の位置合わせをすると共に前記接触端子１４の接触圧と前記係合部１８によりＩＣカード２６を保持する。なお、上記では、前記係合部１８を対向する内側面に設けたが、前記ハウジング１２の内側面の４角部に設けてもよい。
【特許文献４】特許文献４の特開２００８−４５２３の要約によると、本発明は簡単な構造で、２．０ｍｍ以下のコネクタの低背化ができ、安全性にも優れた構造のカードコネクタを提供することを目的とし、本目的はメモリカード６０が着脱自在に挿抜されるカードコネクタ１０であって、メモリカード６０の接続部と接触するコンタクト１４と、コンタクト１４が配列・保持されるハウジング１２とを備えるカードコネクタ１０において、ハウジング１２の幅方向両側に突出するように金属製のメタルプレート１６を装着し、メタルプレート１６には一体に基板へ接続する接続部１６３を設け、複数のメーリカード６０を装着する金属製のトレイ１８を設けるとともにトレイ１８の幅方向両側の一方端側を略Ｌ字形状に折り曲げ、この折り曲げた部分２６をメタルプレート１６上に摺動可能に係合させることにより達成できる構造のカードコネクタが開示されている。
【発明の概要】
【発明が解決しようとする課題】
【０００４】
一般的に、コネクタに接続対象物を装着した場合には、コネクタと接続対象物間の安定した接続が要求される。
特許文献２及び特許文献３に示したコネクタでは、保持がなく、耐振動性が低く、かつ、接続安定性にも問題があった。
特許文献４に示したコネクタでは、接続対象物自体をスライドさせるため、耐振動性が低く、かつ、接続安定性にも問題があった。また、摺動させているため、接点部が磨耗する可能性があり、高耐久性に不向きであった。
特許文献１に示したコネクタでは、接続対象物自体を回動させるため、耐振動性が低く、かつ、接続安定性にも問題があった。ケーブル付きの場合、作業性が悪く、ケーブルが破損し、しいては接続不良の可能性があった。
【０００５】
本発明は、このような従来の問題点に鑑みてなされたもので、ケーブル付きでも耐振動性に優れ、かつ、接続安定性にも優れたコネクタを提供せんとするものである。
【課題を解決するための手段】
【０００６】
本目的は、請求項１記載のコネクタのように、少なくとも、接続対象物との接触部と基板との接続部を有する複数のコンタクトと、該コンタクトが保持・配列されるとともに前記接続対象物が入る装着部を有するハウジングとを備えるコネクタにおいて、回動並びにスライド可能に回動部材を装着し、前記ハウジングには前記コンタクトが配列された幅方向のどちらか一方側に断面略Ｌ字形状の第１係合部と該第１係合部の反対側（他方側）に逃げ溝を設け、前記回動部材には幅方向両側に略Ｕ字形状の第１及び第２係止部を設けるとともに該第１及び第２係止部には係止孔若しくは係止凸部を設け、さらに、幅方向両側にはガイド部を設け、前記接続対象物が装着部に装着された後に、前記回動部材は前記第１係合部の軸部を支点に移動及び回動し、回動が完了した際には前記第２係止部が前記逃げ溝に入り、回動後に前記回動部材をスライドさせて前記接続対象物に押圧させることにより前記接続対象物と前記コンタクトとを接続させることを特徴とするコネクタにより達成できる。
【０００７】
請求項２記載のコネクタは、前記ハウジングの装着部方向の幅方向両側に固定具を装着し、前記ハウジングのガイド部若しくは前記固定具に前記係止孔若しくは係止凸部と係合する係合凸部若しくは係合凹部を設け、スライドが完了した際に前記係止孔若しくは係止凸部と前記係合凸部若しくは係合凹部が係合することを特徴とする請求項１記載のコネクタにある。
また、請求項３記載のコネクタは、前記回動部材に係止片を設け、前記接続対象物を取り出す際に、前記係止片は前記回動部材の回動する位置で止まり、かつ、前記回動部材が外れないように前記ハウジングの内側壁と係合することを特徴とする請求項１または２記載のコネクタにある。
さらに、請求項４記載のコネクタは、前記接続対象物にケーブルが接続されている場合、前記ハウジングには前記コンタクトの接続部突出方向との逆側に逃げ凹部又は／及び逃げ孔を設けることを特徴とする請求項１または２、３記載のコネクタにある。
【０００８】
請求項５記載のコネクタは、前記ハウジングには、前記回動部材の回動軸側に前記第１係止部先端を逃げるための孔を設けるとともに基板接続側でほぼ中央付近にフラックス防止孔を設けることを特徴とする請求項１、２または３、４記載のコネクタにある。
また、請求項６記載のコネクタは、前記回動部材を回動する際に、前記回動部材が前記第１係合部に係合する際にクリック感を持たせることを特徴とする請求項１、２または３、４、５記載のコネクタにある。
さらに、請求項７記載のコネクタは、前記回動部材の回動当初は、前記係止部が前記第１係合部を包むように回動することを特徴とする請求項１〜６項のうちいずれか１項記載のコネクタにある。
さらにまた、請求項８記載のコネクタは、第１に、前記回動部材が９０度に開いた状態では、前記回動部材の第１係止部の第２面が前記ハウジングの第１係合部の第４面と接し、第２に、前記回動部材を回動し始めると、前記回動部材は装着部方向に移動し、前記回動部材の第２面の裏側面が前記ハウジングの第３面と接し、第３に、前記回動部材を回動させると、前記回動部材の第１頂部が前記ハウジングの第３面に接し、かつ、前記回動部材の第１面が前記ハウジングの第１角と接し、及び前記回動部材の第２頂部が基板に接するか、若しくは、前記回動部材の第２面が前記ハウジングの第２角と接し、及び前記回動部材の第２頂部が基板に接し、第４に、前記回動部材を９０度回動させると、前記回動部材の第２係止部が前記ハウジングの逃げ溝に入り、最後に、前記回動部材の第１及び第２係止部を前記ハウジングの幅方向両側のガイド部に沿ってスライドさせると、前記回動部材が前記ハウジングに完全に装着し、前記回動部材で前記接続対象物を前記コンタクト方向へ押圧することを特徴とする請求項１〜７項のうちいずれか１項記載のコネクタにある。
【発明の効果】
【０００９】
以上の説明から明らかなように、本発明のコネクタによると、次のような優れた効果が得られる。
（１）請求項１記載のコネクタのように、少なくとも、接続対象物との接触部と基板との接続部を有する複数のコンタクトと、該コンタクトが保持・配列されるとともに前記接続対象物が入る装着部を有するハウジングとを備えるコネクタにおいて、
回動並びにスライド可能に回動部材を装着し、前記ハウジングには前記コンタクトが配列された幅方向のどちらか一方側に断面略Ｌ字形状の第１係合部と該第１係合部の反対側（他方側）に逃げ溝を設け、前記回動部材には幅方向両側に略Ｕ字形状の第１及び第２係止部を設けるとともに該第１及び第２係止部には係止孔若しくは係止凸部を設け、さらに、幅方向両側にはガイド部を設け、前記接続対象物が装着部に装着された後に、前記回動部材は前記第１係合部の軸部を支点に移動及び回動し、回動が完了した際には前記第２係止部が前記逃げ溝に入り、回動後に前記回動部材をスライドさせて前記接続対象物に押圧させることにより前記接続対象物と前記コンタクトとを接続させることを特徴とするコネクタにしているので、前記接続対象物にケーブルが付いていた場合でも、前記接続対象物と装着部には厚み方向及び前記回動部材の摺動方向に０〜０．０５ｍｍしかガタがないため、耐振動性に優れ、かつ、接続安定性に優れている。
（２）請求項２記載のコネクタは、前記ハウジングの装着部方向の幅方向両側に固定具を装着し、前記ハウジングのガイド部若しくは前記固定具に前記係止孔若しくは係止凸部と係合する係合凸部若しくは係合凹部を設け、スライドが完了した際に前記係止孔若しくは係止凸部と前記係合凸部若しくは係合凹部が係合することを特徴とする請求項１記載のコネクタにしているので、前記接続対象物にケーブルが付いていた場合でも、前記接続対象物と装着部には厚み方向及び前記回動部材の摺動方向に０〜０．０５ｍｍしかガタがないため、耐振動性に優れ、かつ、接続安定性に優れている。
（３）請求項３記載のコネクタは、前記回動部材に係止片を設け、前記接続対象物を取り出す際に、前記係止片は前記回動部材の回動する位置で止まり、かつ、前記回動部材が外れないように前記ハウジングの内側壁と係合することを特徴とする請求項１または２記載のコネクタにしているので、前記接続対象物にケーブルが付いていた場合でも、前記接続対象物と装着部には厚み方向及び前記回動部材の摺動方向に０〜０．０５ｍｍしかガタがないため、耐振動性に優れ、かつ、接続安定性に優れ、前記接続対象物を無負荷で取り出すことができる。
（４）請求項４記載のコネクタは、前記接続対象物にケーブルが接続されている場合、前記ハウジングには前記コンタクトの接続部突出方向との逆側に逃げ凹部又は／及び逃げ孔を設けることを特徴とする請求項１または２、３記載のコネクタにしているので、前記接続対象物にケーブルが付いていた場合でも、前記接続対象物と装着部には厚み方向及び前記回動部材の摺動方向に０〜０．０５ｍｍしかガタがないため、耐振動性に優れ、かつ、接続安定性に優れ、着脱時に前記接続対象物に負荷を加えることがなく接触が可能になる。
（５）請求項５記載のコネクタは、前記ハウジングには、前記回動部材の回動軸側に前記第１係止部先端を逃げるための孔を設けるとともに基板接続側でほぼ中央付近にフラックス防止孔を設けることを特徴とする請求項１、２または３、４記載のコネクタにしているので、前記接続対象物にケーブルが付いていた場合でも、前記接続対象物と装着部には厚み方向及び前記回動部材の摺動方向に０〜０．０５ｍｍしかガタがないため、耐振動性に優れ、かつ、接続安定性に優れ、また、コンタクト接触部へのフラックス上がりを防止できる。
（６）請求項６記載のコネクタは、前記回動部材を回動する際に、前記回動部材が前記第１係合部に係合する際にクリック感を持たせることを特徴とする請求項１、２または３、４、５記載のコネクタにしているので、前記接続対象物にケーブルが付いていた場合でも、前記接続対象物と装着部には厚み方向及び前記回動部材の摺動方向に０〜０．０５ｍｍしかガタがないため、耐振動性に優れ、かつ、接続安定性に優れている。
（７）請求項７記載のコネクタは、前記回動部材の回動当初は、前記係止部が前記第１係合部を包むように回動することを特徴とする請求項１〜６項のうちいずれか１項記載のコネクタにしているので、前記接続対象物にケーブルが付いていた場合でも、前記接続対象物と装着部には厚み方向及び前記回動部材の摺動方向に０〜０．０５ｍｍしかガタがないため、耐振動性に優れ、かつ、接続安定性に優れている。
（８）請求項８記載のコネクタは、第１に、前記回動部材が９０度に開いた状態では、前記回動部材の第１係止部の第２面が前記ハウジングの第１係合部の第４面と接し、第２に、前記回動部材を回動し始めると、前記回動部材は装着部方向に移動し、前記回動部材の第２面の裏側面が前記ハウジングの第３面と接し、第３に、前記回動部材を回動させると、前記回動部材の第１頂部が前記ハウジングの第３面に接し、かつ、前記回動部材の第１面が前記ハウジングの第１角と接し、及び前記回動部材の第２頂部が基板に接するか、若しくは、前記回動部材の第２面が前記ハウジングの第２角と接し、及び前記回動部材の第２頂部が基板に接し、第４に、前記回動部材を９０度回動させると、前記回動部材の第２係止部が前記ハウジングの逃げ溝に入り、最後に、前記回動部材の第１及び第２係止部を前記ハウジングの幅方向両側のガイド部に沿ってスライドさせると、前記回動部材が前記ハウジングに完全に装着し、前記回動部材で前記接続対象物を前記コンタクト方向へ押圧することを特徴とする請求項１〜７項のうちいずれか１項記載のコネクタにしているので、前記接続対象物にケーブルが付いていた場合でも、前記接続対象物と装着部には厚み方向及び前記回動部材の摺動方向に０〜０．０５ｍｍしかガタがないため、耐振動性に優れ、かつ、接続安定性に優れ、回動時にクリック感を持たせることができる。
【図面の簡単な説明】
【００１０】
【図１】（Ａ）  回動部材が開いた状態の装着部方向から見た斜視図である。（Ｂ）  回動部材が開いた状態の装着部と反対方向から見た斜視図である。
【図２】（Ａ）  回動部材が閉じた状態で、かつ、完全に回動部材が装着された状態の装着部方向から見た斜視図である。（Ｂ）  回動部材が閉じた状態で、かつ、完全に回動部材が装着された状態の装着部と反対方向から見た斜視図である。
【図３】コンタクトの斜視図である。
【図４】（Ａ）  装着部方向からみたハウジングの斜視図である。（Ｂ）  装着部と反対方向からみたハウジングの斜視図である。
【図５】（Ａ）  装着部方向からみた回動部材の斜視図である。（Ｂ）  装着部と反対方向からみた回動部材の斜視図である。
【図６】固定具の斜視図である。
【図７】（Ａ）  回動部材が略９０度に開いた状態で、回動部材とハウジングの係合状態を示す断面図である。（Ｂ）  回動部材が略４５度に開いた状態で、回動部材とハウジングの係合状態を示す断面図である。（Ｃ）  回動部材が閉じた状態で、回動部材とハウジングの係合状態を示す断面図である。
【図８】（Ａ）  回動部材が閉じた状態で、回動部材とハウジングの係合状態を示す断面図である。（Ｂ）  回動部材がスライドし、完全に装着された状態で、回動部材とハウジングの係合状態を示す断面図である。
【発明を実施するための最良の形態】
【００１１】
本発明の特徴は、請求項１記載のコネクタ１０のように、少なくとも、接続対象物との接触部と基板との接続部を有する複数のコンタクト１４と、該コンタクト１４が保持・配列されるとともに前記接続対象物が入る装着部１８を有するハウジング１２とを備えるコネクタ１０において、回動並びにスライド可能に回動部材１６を装着し、前記ハウジング１２には前記コンタクト１４が配列された幅方向のどちらか一方側に断面略Ｌ字形状の第１係合部２２と該第１係合部２２の反対側（他方側）に逃げ溝３０を設け、前記回動部材１６には幅方向両側に略Ｕ字形状の第１及び第２係止部４８、４９を設けるとともに該第１及び第２係止部４８、４９には係止孔５０若しくは係止凸部を設け、さらに、幅方向両側にはガイド部２４を設け、前記接続対象物が装着部１８に装着された後に、前記回動部材１６は前記第１係合部２２の軸部を支点に移動及び回動し、回動が完了した際には前記第２係止部４９が前記逃げ溝３０に入り、回動後に前記回動部材１６をスライドさせて前記接続対象物に押圧させることにより前記接続対象物と前記コンタクト１４とを接続させることを特徴とするコネクタ１０である。
つまり、前記接続対象物を装着した後に、前記回動部材１６は前記第１係合部２２の軸部を支点に回動し、回動が完了した際には前記第２係止部４９が前記第２係合部に係合し、回動後に前記回動部材１６をスライドさせて前記接続対象物に押圧させることにより前記接続対象物と前記コンタクト１４とを接続させるようにしたものである。
【００１２】
図に基づいて、本発明のコネクタ１０の一実施例を説明する。図１（Ａ）は回動部材が開いた状態の装着部方向から見た斜視図であり、（Ｂ）は回動部材が開いた状態の装着部と反対方向から見た斜視図である。図２（Ａ）は回動部材が閉じた状態で、かつ、完全に回動部材が装着された状態の装着部方向から見た斜視図であり、（Ｂ）は回動部材が閉じた状態で、かつ、完全に回動部材が装着された状態の装着部と反対方向から見た斜視図である。図３はコンタクトの斜視図である。図４（Ａ）は装着部方向からみたハウジングの斜視図であり、（Ｂ）は装着部と反対方向からみたハウジングの斜視図である。図５（Ａ）は装着部方向からみた回動部材の斜視図であり、（Ｂ）は装着部と反対方向からみた回動部材の斜視図である。図６は固定具の斜視図である。図７（Ａ）は回動部材が略９０度に開いた状態で、回動部材とハウジングの係合状態を示す断面図であり、（Ｂ）は回動部材が略４５度に開いた状態で、回動部材とハウジングの係合状態を示す断面図であり、（Ｃ）は回動部材が閉じた状態で、回動部材とハウジングの係合状態を示す断面図である。図８（Ａ）は回動部材が閉じた状態で、回動部材とハウジングの係合状態を示す断面図であり、（Ｂ）は回動部材がスライドし、完全に装着された状態で、回動部材とハウジングの係合状態を示す断面図である。
本発明のコネクタ１０は、少なくともコンタクト１４とハウジング１２と回動部材１６を備えている。本実施例では、さらに、固定具１７を備えたコネクタ１０について説明する。
【００１３】
まず、前記接続対象物について説明する。前記接続対象物としては、ＡＭＰモジュールや光モジュールや電極の付いた部品（コネクタやカードや基板やＦＰＣ等）にケーブルを結線したものなどを挙げることができる。
【００１４】
以下で、本実施例のコネクタ１０の部位について説明する。まず、コンタクト１４について説明する。コンタクト１４は金属製であり、公知技術のプレス加工によって製作されている。前記コンタクト１４の材質としては、バネ性や導電性などが要求されるので、黄銅やベリリウム銅やリン青銅等を挙げることができる。本実施例では、前記ハウジング１２の装着部内に接触部が突出するように１列に配置されている。
【００１５】
前記コンタクト１４は、図３のように、略Ｉ字形状をし、一方端側に前記接続対象物に接触する接触部１４１と他方端側に基板に接続する接続部１４３と前記接触部１４１と前記接続部１４３との間に固定部１４２とを有している。
前記接触部１４１は、前記接続対象物と接触し易いように凸部形状にしている。また、前記接触部１４１を有する接触片１４４は、前記接続対象物に接触し易く、かつ、弾性を持たせ、安定した接触力を得るために、湾曲させている。前記接触部１４１の形状・大きさは、前記接続対象物と接触し、安定した接続が得られるように適宜設計している。
【００１６】
前記接続部１４３は、基板に接続する部分であり、本実施例では図３のように表面実装タイプ（ＳＭＴ）にしているが、ディップタイプでも良い。前記接続部１４３のタイプや大きさは、基板占有面積や加工性や強度や安定した接続等を考慮して適宜設計している。
【００１７】
前記固定部１４２は、前記ハウジング１２に保持される部分であり、圧入や引っ掛け（ランス）や溶着等で固定されている。本実施例では圧入によって固定されており、前記固定部１４２は前記接触部１４１と前記接続部１４３との間のほぼ中央付近に設けられている。前記固定部１４２の位置や大きさとしては、安定した接触や保持力等を考慮して適宜設計する。
【００１８】
次に、ハウジング１２について説明する。このハウジング１２は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。
前記ハウジング１２には、所要数のコンタクト１４が装着される挿入孔２０が設けられており、圧入や引っ掛け（ランス）や溶着等によって固定されている。前記挿入孔２０の大きさや形状は、前記コンタクト１４が保持できれば如何なるものでもよいが、保持力や安定した接続等を考慮して適宜設計している。
また、前記ハウジング１２には、前記接続対象物が入る大きさの装着部１８が設けられている。前記装着部１８の大きさ・形状は、前記接続対象物が入れば如何なるものでも良いが、安定した接続や小型化や加工性等を考慮して適宜設計している。
【００１９】
前記ハウジング１２には前記コンタクト１４が配列された幅方向のどちらか一方側に断面略Ｌ字形状の第１係合部２２とと該第１係合部２２の反対側（他方側）に逃げ溝３０が設けられている。前記第１係合部２２は、前記回動部材１６が回転するときの軸に相当する部分であり、前記回動部材１６の係止部が前記第１係合部２２を移動及び回動する。軸が一点でなく、移動することでコンパクトな回転が可能になる。回動の仕方及び役割については、後述する。前記第１係合部２２の形状・大きさは、前記回動部材１６が回動できればよく、役割や加工性やクリック感やコンパクトな回転等を考慮して適宜設計する。
【００２０】
前記逃げ溝３０は、前記回動部材１６の回動が完了した際の前記回動部材１６の係止部を逃げる部分であり、回動完了時に前記係止部が前記ハウジング１２にぶつからなければよく、前記逃げ溝３０の形状・大きさはその役割や加工性や強度等を考慮して適宜設計する。
前記ハウジング１２には、幅方向両側にガイド部２４が設けられている。一方のガイド部２４は前記第１係合部２２に連設し、他方のガイド部２４は逃げ溝３０に繋がり、かつ、一方のガイド部２４と対称になっている。前記ガイド部２４は前記回動部材１６がスライドする際のガイドであり、ガイドできればよく、その形状・大きさは役割や加工性や強度等を考慮して適宜設計する。
【００２１】
前記ガイド部２４には、前記回動部材１６の係止孔５０と係合する係合凸部を設けてもよい。設けた場合の前記係合凸部は前記回動部材１６のスライドが完了する位置決めとクリック感と確実な保持ができるようにするためのものである。前記係合凸部の形状・大きさはこのような役割やクリック感や加工性や強度等を考慮して適宜設計する。
【００２２】
前記ハウジング１２には、前記コンタクト１４の接続部突出方向との逆側に逃げ凹部３２又は／及び逃げ孔３４が設けられている。前記逃げ凹部３２又は／及び逃げ孔３４はケーブルやキー等の逃げである。
また、前記ハウジング１２の第１係合部２２付近には、前記回動部材１６の回動軸側に前記第１係止部４８先端を逃げるための孔４７が設けられている。前記孔４７は前記回動部材１６が回動した際に第１係止部４８先端を逃げるためのものである。
さらに、前記ハウジング１２には、装着部１８側（逃げ凹部３２又は／逃げ孔３４側）で幅方向両側に前記固定具１７が装着される装着孔３６が設けられている。
さらに、前記ハウジング１２には、前記挿入孔２０と連設したフラックス防止孔６２が基板搭載側で前記ハウジング１２の奥行き方向のほぼ中央付近に設けられている。前記フラックス防止孔６２は、フラックスが前記コンタクト１４の接触部１４１に上がるのを防止するためのものであり、その形状・大きさは役割や加工性や強度等を考慮して適宜設計する。
【００２３】
次に、回動部材１６について説明する。この回動部材１６は金属製であり、公知技術のプレス加工によって製作されている。前記回動部材１６の材質としては、バネ性や加工性や強度などが要求されるので、黄銅やベリリウム銅やリン青銅等を挙げることができる。前記回動部材１６は断面略コ字形状をしており、前記回動部材１６には幅方向両側に略Ｕ字形状の第１及び第２係止部４８、４９が設けられている。前記第１係止部４８は前記ハウジング１２の第１係合部２２と係合し、回動する部分であり、かつ、ガイド部２４と係合し、スライドする部分である。前記第２係止部４９はガイド部２４と係合し、スライドする部分である。前記第１及び第２係止部４８、４９の形状・大きさはこのような役割や加工性や強度や回動性やスライド性を考慮して適宜設計する。
【００２４】
前記第１及び第２係止部４８、４９には、係止孔５０が設けられている。前記係止孔５０は前記固定具１７の係合凸部２６と係合させることで、前記回動部材１６のスライドが完了する位置決めとクリック感と確実な保持を行うためのものである。前記係止孔５０の形状・大きさはこのような役割や強度や加工性等を考慮して適宜設計する。本実施例では、前記回動部材１６の係止孔５０と前記固定具１７の係合凸部２６とを係合させているが、凹凸を逆にしたものであってもよい。例えば、前記回動部材１６側に係止凸部を設け、前記固定具１７に係合凹部を設けたものでもよい。
また、前記回動部材１６には、前記ハウジング１２の内壁２８と係合する係止片５２が設けられている。前記係止片５２は、前記接続対象物を取り出す際に、前記係止片５２が前記回動部材１６の回動する位置で止まり、かつ、前記回動部材１６が外れないように前記ハウジング１２の内側壁と係合するものである。
【００２５】
ここで、図７及び図８に基づいて、回動及びスライドについて説明する。
第１に、図７（Ａ）のように、前記回動部材１６が９０度に開いた状態では、前記回動部材１６の第１係止部４８の第２面５６が前記ハウジング１２の第１係合部２２の第４面４６と接している。
第２に、前記回動部材１６を回動し始めると、前記回動部材１６は装着部１８方向に移動し、前記回動部材１６の第２面５６の裏側面が前記ハウジング１２の第３面４０と接する。
第３に、図７（Ｂ）のように、前記回動部材１６を回動させると、前記回動部材１６の第１頂部５８が前記ハウジング１２の第３面４０に接し、かつ、前記回動部材１６の第１面５４が前記ハウジング１２の第１角４２と接し、及び前記回動部材１６の第２頂部６０が基板に接するか、若しくは、前記回動部材１６の第２面５６が前記ハウジング１２の第２角４４と接し、及び前記回動部材１６の第２頂部６０が基板に接する。
第４に、図７（Ｃ）及び図８（Ａ）のように前記回動部材１６を９０度回動させると、前記回動部材１６の第２係止部４９が前記ハウジング１２の逃げ溝３０に入る。
最後に、図８（Ｂ）のように前記回動部材１６の第１及び第２係止部４８、４９を前記ハウジング１２の幅方向両側のガイド部２４に沿ってスライドさせると、前記回動部材１６が前記ハウジング１２に完全に装着し、前記回動部材１６で前記接続対象物を前記コンタクト１４方向へ押圧することになる。
上述のように、回動時に複数個所で、前記回動部材１６と前記ハウジング１２を接触させることで、回動時のクリック感を持たせている。
【００２６】
最後に、固定具１７について説明する。固定具１７は金属製であり、公知技術のプレス加工によって製作されている。前記固定具１７の材質としては、バネ性や導電性などが要求されるので、黄銅やベリリウム銅やリン青銅等を挙げることができる。本実施例では、前記ハウジング１２の装着部１８方向の幅方向両側に配置されている。
前記固定具１７は略板状片をしている。前記固定具１７の形状・大きさは、コネクタ１０の基板への保持力や加工性や強度等を考慮して適宜設計する。前記固定具１７には固定部が設けられ、圧入によって固定されている。
また、前記固定具１７には、前記回動部材１６の係止孔５０と係合する係合凸部２６が設けられている。前記係合凸部２６は前記回動部材１６のスライドが完了する位置決めとクリック感と確実な保持ができるようにするためのものである。前記係合凸部２６の形状・大きさはこのような役割やクリック感や加工性や強度等を考慮して適宜設計する。
【産業上の利用可能性】
【００２７】
本発明の活用例としては、携帯電話や携帯音楽プレーヤーや携帯テレビ等の電気機器や電子機器に使用されるコネクタ１０に活用され、特に、ケーブルが接続された電子部品が装着されても小型化が可能な構造に関するものである。
【符号の説明】
【００２８】
１０      コネクタ
１２      ハウジング
１４      コンタクト
１４１    接触部
１４２    固定部
１４３    接続部
１４４    接触片
１６      回動部材
１７      固定具
１７１    固定部
１８      装着部
２０      挿入孔
２２      第１係合部
２４      ガイド部
２６      係合凸部
２８      内壁
３０      逃げ溝
３２      逃げ凹部
３４      逃げ孔
３６      装着孔
４０      第３面
４２      第１角
４４      第２角
４６      第４面
４７      孔
４８      第１係止部
４９      第２係止部
５０      係止孔
５２      係止片
５４      第１面
５６      第２面
５８      第１頂部
６０      第２頂部
６２      フラックス防止孔
【図１】
2010251224.tif 000003
【図２】
2010251224.tif 000004
【図３】
2010251224.tif 000005
【図４】
2010251224.tif 000006
【図５】
2010251224.tif 000007
【図６】
2010251224.tif 000008
【図７】
2010251224.tif 000009
【図８】
2010251224.tif 000010